(57)【要約】      （修正有）【課題】一般的な観察環境での観察者が感知する色再現特性を正確に再現するためのプロファイルを作成し、画像出力する。【解決手段】観察環境における周辺の照明以外の物体、特に壁に関する条件を含んだ情報に応じて色情報を補正する。このために、照明光と前記照明光以外の反射光とが含まれる観察環境の下で画像出力装置により印刷された色票からの反射光を分光放射計により測定することにより得られた第１の色空間によって定義される画像データを入力する。そして、装置依存性のない第２の色空間によって定義される画像データに変換し、さらにカラーマッピングを行って、第２の色空間によって定義される画像出力装置の色再現領域内に相当する画像データを得る。この画像データと第１の色空間によって定義され前記色票を表現する画像データとからルックアップテーブルを作成し、このルックアップテーブルを実際の印刷に用いる画像データに適用する。【選択図】図１２
2012044475.tif 000002
【特許請求の範囲】
【請求項１】
画像出力装置の画像処理方法であって、
照明光と前記照明光以外の反射光とが含まれる観察環境の下で得られた第１の色空間における画像データと装置依存性のない第２の色空間における画像データとの関係を表わす複数のルックアップテーブルから、観察環境に応じたルックアップテーブルを選択する選択工程と、
入力された画像データに対してプロファイルを用いて装置依存性のない第２の色空間によって定義される画像データへの変換と前記選択工程において選択したルックアップテーブルとにより前記第１の色空間によって定義された画像データを出力し、該画像データを前記画像出力装置で用いる第３の色空間によって定義される画像データに変換して、記録媒体への画像出力を行う出力工程とを有し、
前記観察環境は室内環境を含み、
前記室内環境には、照明と壁とが含まれ、
前記観察環境は、前記照明の種類や数や位置、前記壁の色や明るさに依存することを特徴とする画像処理方法。
【請求項２】
照明光と前記照明光以外の反射光とが含まれる観察環境の下で前記画像出力装置により印刷された色票からの反射光を分光放射計により測定することにより得られた第１の色空間によって定義される画像データを入力する入力工程と、
前記入力工程において入力された第１の色空間により得られた画像データを前記分光放射計のプロファイルを用いて装置依存性のない第２の色空間によって定義される画像データに変換する変換工程と、
前記変換工程において変換された第２の色空間によって定義される画像データを、第２の色空間によって定義され、前記画像出力装置の色再現領域内の画像データにカラーマッピングするカラーマッピング工程と、
前記第１の色空間によって定義され前記色票を表現する画像データと前記カラーマッピング工程においてカラーマッピングされ、前記第２の色空間によって定義された画像データとから前記第１の色空間における画像データと前記第２の色空間における画像データとの関係を表わすルックアップテーブルを作成する作成工程と、
異なる条件の観察環境において、前記入力工程と、前記変換工程と、前記カラーマッピング工程と、前記作成工程とを繰り返し実行し、異なる観察環境に対応した複数のルックアップテーブルを作成する繰り返し工程とをさらに有し、
前記選択工程では、印刷のために前記繰り返し工程により作成された複数のルックアップテーブルから観察環境に応じたルックアップテーブルを選択することを特徴とする請求項１に記載の画像処理方法。
【請求項３】
前記ルックアップテーブルは三次元ルックアップテーブルであることを特徴とする請求項１又は２に記載の画像処理方法。
【請求項４】
前記画像出力装置は、インクジェットプリンタ或はレーザビームプリンタであることを特徴とする請求項１乃至３のいずれか１項に記載の画像処理方法。
【請求項５】
前記第１の色空間はＲＧＢ色空間であり、
前記第２の色空間はＬａｂ色空間であり、
前記第３の色空間はＹＭＣＫ色空間であることを特徴とする請求項１乃至４のいずれか１項に記載の画像処理方法。
【請求項６】
照明光と前記照明光以外の反射光とが含まれる観察環境の下で得られた第１の色空間における画像データと装置依存性のない第２の色空間における画像データとの関係を表わす複数のルックアップテーブルから、観察環境に応じたルックアップテーブルを選択するための選択手段と、
入力された画像データに対してプロファイルを用いて装置依存性のない第２の色空間によって定義される画像データへの変換と前記選択工程において選択されたルックアップテーブルとにより前記第１の色空間によって定義された画像データを出力し、該画像データを前記画像出力装置で用いる第３の色空間によって定義される画像データに変換して、記録媒体への画像出力を行う出力手段とを有し、
前記観察環境は室内環境を含み、
前記室内環境には、照明と壁とが含まれ、
前記観察環境は、前記照明の種類や数や位置、前記壁の色や明るさに依存することを特徴とする画像出力装置。
【発明の詳細な説明】
【技術分野】
【０００１】
本発明は画像処理方法及び画像出力装置に関し、特に、カラーマネージメントシステム（ＣＭＳ）を導入し、観察環境に適した忠実な色再現を行うための画像処理方法及び画像出力装置に関する。
【背景技術】
【０００２】
カラーマネージメントシステム（ＣＭＳ）を導入した画像出力装置（例えば、プリンタ）は、その装置の色再現特性を格納したカラープロファイル（以下、「プロファイル」）を利用することで、高度な色再現を実現する。色再現の精度は、画像出力装置の色再現特性がいかに正確にプロファイルに反映されているかに大きく依存する。一般に、印刷物の色再現特性は、測色器を用いた分光反射率の測定に基づく測色値によって定義される。
【０００３】
特許文献１は印刷物が設置される環境の照明条件をもとに、プロファイルを補正する方法を提案している。また、特許文献２は蛍光を含む観察環境下において見かけの反射率と測色値の値が異なるため、観察環境下で分光放射計を用いて反射光を測色する技術を提案している。この場合、観察環境下での反射光の再現をもとにプロファイルを作成するため、実際の観察環境と測色環境とがまったく同一であれば、忠実な色再現が可能となる。
【先行技術文献】
【特許文献】
【０００４】
【特許文献１】特開２００５−８０１８２号公報
【特許文献２】特開２００４−６４１１２号公報
【発明の概要】
【発明が解決しようとする課題】
【０００５】
しかしながら、観察者が感知する印刷物の反射光の色再現特性と一般的な測色器を用いて測定する反射光の色再現特性とはかならずしも一致しない。例えば、特許文献１が提案するような補正だけでは十分な補正が得られない。つまり照明条件だけでは観察者の環境を正確には見出せないのである。
【０００６】
図１３は一般的な環境における観察環境と輝度の関係を示した図である。図１３（ａ）は、観察環境の周囲の壁および照明を含む場所４２１〜４２９を示している。一方、図１３（ｂ）は場所４２１〜４２９の輝度を示している。図１３（ｂ）から分かるように、４２２，４２４，４２６の位置は照明光の位置であるため輝度が明るい。そして、それ以外の箇所に関してもある程度の輝度が測定される。これは、照明からの光が壁で乱反射するためである。言い換えると、この乱反射光の影響が非常に大きいのである。
【０００７】
また、特許文献２が提案する技術では、プロファイル作成時の環境と、実際にユーザが観察する環境にずれが生じた場合、正確な色再現は不可能となる。また、実際にユーザが観察する環境下において分光反射率を測定する場合は、一般的な記録装置の使用者にとってはコストや補正に必要な時間の点で実際に実施することは困難である。
【０００８】
本発明は上記従来例に鑑みてなされたもので、一般的な観察環境での観察者が感知する色再現特性を正確に再現するためのプロファイルを作成し画像出力する画像処理方法と画像出力装置とを提供すること目的としている。
【課題を解決するための手段】
【０００９】
上記目的を達成するために本発明の画像処理方法は次のような構成からなる。
【００１０】
即ち、照明光と前記照明光以外の反射光とが含まれる観察環境の下で得られた第１の色空間における画像データと装置依存性のない第２の色空間における画像データとの関係を表わす複数のルックアップテーブルから、観察環境に応じたルックアップテーブルを選択する選択工程と、入力された画像データに対してプロファイルを用いて装置依存性のない第２の色空間によって定義される画像データへの変換と前記選択工程において選択したルックアップテーブルとにより前記第１の色空間によって定義された画像データを出力し、該画像データを前記画像出力装置で用いる第３の色空間によって定義される画像データに変換して、記録媒体への画像出力を行う出力工程とを有し、前記観察環境は室内環境を含み、前記室内環境には、照明と壁とが含まれ、前記観察環境は、前記照明の種類や数や位置、前記壁の色や明るさに依存することを特徴とする。
【００１１】
また本発明を別の側面から見れば、照明光と前記照明光以外の反射光とが含まれる観察環境の下で得られた第１の色空間における画像データと装置依存性のない第２の色空間における画像データとの関係を表わす複数のルックアップテーブルから、観察環境に応じたルックアップテーブルを選択するための選択手段と、入力された画像データに対してプロファイルを用いて装置依存性のない第２の色空間によって定義される画像データへの変換と前記選択工程において選択されたルックアップテーブルとにより前記第１の色空間によって定義された画像データを出力し、該画像データを前記画像出力装置で用いる第３の色空間によって定義される画像データに変換して、記録媒体への画像出力を行う出力手段とを有し、前記観察環境は室内環境を含み、前記室内環境には、照明と壁とが含まれ、前記観察環境は、前記照明の種類や数や位置、前記壁の色や明るさに依存することを特徴とする画像出力装置を備える。
【発明の効果】
【００１２】
従って本発明によれば、観察環境の状態に応じて色再現特性を補正し、印刷画像が鑑賞される環境において適正な色合いとなるように補正することができるという効果がある。
【図面の簡単な説明】
【００１３】
【図１】本発明の代表的な実施例であるカラーマッチングシステム（ＣＭＳ）の概略構成を説明する図である。
【図２】ＣＭＳを導入した画像出力装置における色処理の一例を示す図である。
【図３】色票を説明する図である。
【図４】分光反射率の測定原理を示す図である。
【図５】光学画像の反射強度の角度依存性を説明する図である。
【図６】一般観察環境での輝度と観察者に対する影響を説明する図である。
【図７】一般観察環境において測色を行う方法を説明する図である。
【図８】測色器を用いて得られる色票の入力値と明度の関係を説明する図である。
【図９】種々の一般観察環境を説明する図である。
【図１０】種々の一般環境における色票の入力値と明度の関係を説明する図である。
【図１１】一般観察環境において３ＤＬＵＴを作成し格納する処理を説明するフローチャートである。
【図１２】ユーザが環境条件を設定するインタフェースの一例を示す図である。
【図１３】一般環境における輝度を説明する図である。
【発明を実施するための形態】
【００１４】
以下に、図面を参照しながら本発明の実施例について詳細に説明する
なお、この明細書において、「記録」（以下、「プリント」とも称する）とは、文字、図形等有意の情報を形成する場合のみならず、有意無意を問わず、広く記録媒体上に画像、模様、パターン等を形成する、又は媒体の加工を行う場合も表すものとする。また、人間が視覚で知覚し得るように顕在化したものであるか否かを問わない。
【００１５】
また、「記録媒体」とは、一般的な記録装置で用いられる紙のみならず、広く、布、プラスチック・フィルム、金属板、ガラス、セラミックス、木材、皮革等、インクを受容可能なものも表すものとする。
【００１６】
また、「インク」とは、上記「記録」の定義と同様広く解釈されるべきもので、記録媒体上に付与されることによって、画像、模様、パターン等の形成又は記録媒体の加工、或いはインクの処理に供され得る液体を表すものとする。インクの処理としては、例えば記録媒体に付与されるインク中の色剤の凝固又は不溶化させることが挙げられる。
【００１７】
［ＣＭＳ］
図１は本発明の代表的な実施例であるカラーマネージメントシステム（ＣＭＳ）概要構成を説明する図である。ＣＭＳは、同一のカラー画像を複数の画像入出力装置（例えば、カラーコピー１１、カラーモニタ１２、ディジタルカメラ１３、カラープリンタ１４）で良好に色再現するための色処理技術（画像処理技術）である。
【００１８】
ＣＭＳによれば入力系の色信号は出力系の色信号へ変換される。即ち、入力系装置に関する所定の変換式もしくは変換テーブルにより、入力系装置依存の入力色信号を装置に依存しない色空間（ＰＣＳ：Ｐｒｏｆｉｌｅ  Ｃｏｎｎｅｃｔｉｏｎ  Ｓｐａｃｅ）上の色信号に変換する。装置依存の色空間上の色信号とＰＣＳ上の色信号とを相互変換する所定の変換式もしくは変換テーブルが、その装置のプロファイルである。
【００１９】
ＰＣＳ上に変換された色信号に、所定の色処理を施して、出力すべき信号値を得た後、各出力系装置のプロファイルを参照して、その色信号を出力系装置に依存する色空間上の色信号に変換する。ＣＭＳによれば、各装置のプロファイルに基づき、各装置に依存する色空間とＰＣＳとの間で色信号を変換することで、複数の異なる装置間における色合わせ（カラーマッチング）が実現される。
【００２０】
一般に、ＰＣＳとしては、測色に用いられる色空間であるＣＩＥ  ＸＹＺやＣＩＥ  ＬＡＢなどが用いられる。そして、画像入出力装置のプロファイルには、その装置によって入力または出力される可視像（例えば印刷物）の測色値と色信号との対応関係、即ち、その装置の色再現特性が格納される。従って、プロファイルは、例えば、画像出力装置に所定の色信号に基づく画像を出力させ、その出力画像の測色値と色信号との対応関係に基づき作成される。
【００２１】
［画像出力装置の色処理］
図２はＣＭＳを導入した画像出力装置における色処理の一例を示す図である。図２は画像出力装置として、シアン（Ｃ）、マゼンタ（Ｍ）、イエロ（Ｙ）、及びブラック（Ｋ）のインクやトナーによって、例えば、記録紙面上に画像を形成するカラープリンタを想定したものである。記録剤としてインクを用いる場合、そのカラープリンタはインクジェットプリンタであり、トナーを用いる場合、そのカラープリンタはレーザビームプリンタである。また、図２に示す構成ではＲＧＢ画像データを入力し、ＹＭＣＫ画像データを出力する。
【００２２】
画像入力装置に依存する入力データ２１のＲＧＢ信号は、入力プロファイル保持部２９に格納された画像入力装置の色再現特性を表わす入力プロファイル２６を参照する入力変換部２２により、ＰＣＳであるＣＩＥ  ＬＡＢ空間上のＬａｂ信号に変換される。カラーマッピング部２３は、入力されるＬａｂ信号を画像出力装置の色再現領域内のＬ’ａ’ｂ’信号に変換する。Ｌ’ａ’ｂ’信号は、画像出力装置に依存する信号Ｒ’Ｇ’Ｂ’に変換される。この際、出力プロファイル変換部２４は、出力プロファイル保持部３０に格納された三次元ルックアップテーブル２７を用いて、均等色空間であるＣＩＥ  ＬＡＢ上の入力信号Ｌ’ａ’ｂ’を、画像出力装置に依存する信号Ｒ’Ｇ’Ｂ’に変換する。以下、三次元ルックアップテーブル２７を“３ＤＬＵＴ”と呼ぶ。最後に、色分解ＬＵＴ２８を参照する色分解変換部２５により、画像出力装置に依存する信号Ｒ’Ｇ’Ｂ’は、画像出力装置に依存するＣＭＹＫ信号に変換される。
【００２３】
３ＤＬＵＴは、Ｒ’Ｇ’Ｂ’信号値と対応するＬ’ａ’ｂ’信号値との関係を示すテーブルである。出力プロファイル変換部２４は、３ＤＬＵＴにおいて入力信号Ｌ’ａ’ｂ’の値の近傍にあたる複数の格子点を検索し、それら格子点に対応するデータおよび入力信号Ｌ’ａ’ｂ’から、公知の補間方法を用いて出力するＲ’Ｇ’Ｂ’値を演算する。
【００２４】
次に３ＤＬＵＴを作成する方法について説明する。まず、画像出力装置より入力データであるＲＧＢ値の色票データを印刷する。そして、プロファイル作成モードで色処理を実行する。この際、図２に示した入力変換部２２、カラーマッピング部２３、及び、出力プロファイル変換部２４を色票データはスルーする。つまり、画像出力装置は、色票データを出力プロファイル変換部２４の出力信号Ｒ’Ｇ’Ｂ’と見なして画像出力を行う。
【００２５】
図３は色票データを説明する図である。色票データは、例えば、下記の格子点の色信号で構成される。即ち、図３に示すように、
（Ｒ’，Ｇ’，Ｂ’）＝（２５５，２５５，２５５）
＝（２５５，２５５，２３９）
＝（２５５，２５５，２２３）
＝（２５５，２５５，２０７）
・
・
・
である。
【００２６】
画像出力装置から出力された画像の反射光は、一般的な測色器により測定される。これにより、測色器により測定した分光反射率から色度である、Ｌ’ａ’ｂ’が得られる。このとき、Ｌ’ａ’ｂ’値は、ＪＩＳ  Ｚ  ８７２９及びＪＩＳ  Ｚ  ８７０１をもとに求めることが出来る。これにより、出力プロファイル変換部２４におけるＲ’Ｇ’Ｂ’とＬ’ａ’ｂ’との対応を得ることが出来る。こうして得られた３ＤＬＵＴは出力プロファイル保持部３０に保持される。
【００２７】
また、色分解変換部２５は、色分解ＬＵＴ２８を用いる公知の方法で、入力される信号Ｒ’Ｇ’Ｂ’を出力する信号ＣＭＹＫに変換する。
【００２８】
なお、上記の色空間によって本発明が限定されるものではない。例えば、画像入力装置に依存する色空間はＲＧＢ色空間として説明しているが、これを一般的に第１の色空間としても良い。同様に、ここでは、装置依存性のない色空間としてＬａｂ色空間を例示しているがこれを一般的に第２の色空間としても良い。さらに同様に、画像出力装置に依存する色空間をＹＭＣ色空間（ＹＭＣＫ色空間）として説明しているが、これを一般的に第３の色空間としても良い。
【００２９】
［測色の原理］
出力プロファイル保持部３０に格納される３ＤＬＵＴ２７は、一般に、分光反射率の測定結果から算出される測色値で構成される。図４は、一般的な測色器における分光反射率の測定原理を示す図である。
【００３０】
図４に示すように、一般的には、照明光３１が入射角４５°の方向から入り、画像サンプル３３に当たった光は、反射角０°の受光部３２の方向の光を受光するようなになっている。また、逆に入射角０°方向からの光を反射角４５°で受光する測定器も一般的である。
【００３１】
［実際の見え方］
さて、発明者は、一般的な環境における観察者が感知する「見え方」と測色器によって測定される色度とが一致しないことがあることを見出した。以下、図５〜図６を参照して、実際の見え方の原理について説明する。なお、説明を簡単にするため、図５〜図６では平面的に図を描いているが、奥行きがある場合の実空間においても原理は同様である。
【００３２】
図５は一般的な光沢紙における反射率の角度分布を説明するものである。図５（ａ）は投光と受光の関係を示している。図５（ｂ）は受光角を４５°に固定し、投光角を０°から８０°まで変化させたときに得られる反射強度を示した図である。光源５１からの光は、正反射光の角度に大きな反射光（以下、“正反射成分”）を持ち、それ以外の方向に対しては、小さな反射光を持つ（以下、“拡散反射成分”）。
【００３３】
次に、図６は一般的な環境に観察画像を置いた際の観察者の目に入る光を説明する図である。図６（ａ）に示されているように、観察画像６４を見る際に照明６１の正反射光が目に入る場合、観察画像６４が明るすぎて認識できないため観察者は通常、照明６１からの直接の正反射成分が見えない場所に立って、観察画像６４を観察する。図６（ａ）に示すように、観察者６３と観察画像６４の位置に対して正反射方向に当たる位置には壁が存在する。光線６５は位置６２２に存在する照明６１からの直接の光が観察画像６４にあたる光線を示しており、その反射光は光線６８として観察者が認識する。この光は、入射光量が強いが、入射角と反射角が異なるため、反射強度はやや弱い。特に、暗い画像においては弱い光となる。光線６６は壁からの光が観察画像６４に入る光線を示している。この光は入射光自体が弱く、さらに観察者方向に反射する光は正反射光成分ではないため非常に弱い。一方、光線６７は、壁からの光が観察画像６４にあたり、正反射成分の光が観察者の目に入る光線となる。この光による影響は、正反射成分であるため大きい。
【００３４】
図６（ｂ）は壁６２の複数の位置６２１〜６２９と照明の存在する領域の輝度を示した図である。図６（ｂ）では、照明の存在する位置６２２、６２４、６２６の部分の輝度を模式的に示している。照明近傍は非常に明るく、その他の部分も壁からの反射である程度の輝度を持つ。図６（ｂ）に示すように、照明の位置からの光は非常に強く、照明光以外の壁からは、照明からの乱反射による弱い光がある。図６（ｃ）は壁６２からの光の観察者への影響度を示した図である。図５（ｂ）に示すような角度依存性をもったサンプルにおいては、正反射成分が大きい位置６２７の箇所からの影響度が非常に大きいことを図６（ｃ）は示している。
【００３５】
そして、図６（ｂ）と図６（ｃ）の影響度を乗算することにより、観察画像６４から観察者６３の目に実際に入ってくる光の影響が決まる。図６（ｄ）はその影響度の様子を示す図である。図６（ｄ）から分かるように、壁からの光による正反射成分と、照明からの光による拡散反射成分が大きな影響をもっている。特に、ブラックや暗部の画像においては、画像の拡散反射は非常に少なく、相対的に壁からの光による正反射成分の影響は非常に大きくなる。
【００３６】
以上のような理由から、図６（ａ）に示したような一般的な環境における見え方と、図４に示したような測色器による色の捉え方は異なるのである。
【００３７】
［実環境における色度］
図７は特許文献２で提案された一般的な環境における色度を測定する装置を示した図である。図７に示すように、一般的な環境に、例えば、分光反射輝度計７３を設置し、画像出力装置によって出力した画像７２を測色する。測定試料の分光反射率Ｒｓｍｐ（λ）は、以下のように求められる。つまり、分光反射率が既知の値Ｒｒｅｆ（λ）の参照試料と測定試料とを適当な光源Ｓ（λ）で照明する。各試料からの反射光はそれぞれ、Ｓ（λ）Ｒｒｅｆ（λ）、Ｓ（λ）Ｒｓｍｐ（λ）である。この反射光を分光測定して光電変換した信号値Ｉｒｅｆ（λ）とＩｓｍｐ（λ）はそれぞれ、式（１）、（２）で与えられる。
【００３８】
即ち、
Ｉｒｅｆ（λ）＝ｋＳ（λ）Ｒｒｅｆ（λ）    …（１）
Ｉｓｍｐ（λ）＝ｋＳ（λ）Ｒｓｍｐ（λ）    …（２）
である。
【００３９】
ここで、ｋは光電変換における定数である。このとき、測定試料の分光反射率Ｒｓｍｐ（λ）は、式（３）によって求められる。即ち、
Ｒｓｍｐ（λ）＝Ｉｓｍｐ（λ）／Ｉｒｅｆ（λ）ｘＲｒｅｆ（λ）    …（３）
である。
【００４０】
以上の方法で前述した色票を実際の環境において測定し分光反射率を求める。そして、分光反射率からＪＩＳ  Ｚ  ８７２９及びＪＩＳ  Ｚ  ８７０１をもとにＬ’ａ’ｂ’を求めることが出来る。
【００４１】
従って、色票のＲ’Ｇ’Ｂ’とＬ’ａ’ｂ’との対応より、３ＤＬＵＴを求めることが可能となる。以下の説明において、色票についての説明を簡単にするため、グレーライン（無彩色）画像を用いる。即ち、離散的なＲＧＢ値として、以下の値を設定する。
【００４２】
（Ｒ，Ｇ，Ｂ）＝（    ０，    ０，    ０）
（  ３２，  ３２，  ３２）
（  ６４，  ６４，  ６４）
（  ９６，  ９６，  ９６）
（１２８，１２８，１２８）
（１６０，１６０，１６０）
（１９２，１９２，１９２）
（２２４，２２４，２２４）
（２５５，２５５，２５５）
である。
【００４３】
図８は一般的な測色器を用いた場合に測定したグレーライン階調パッチのそれぞれのパッチから求められる明度Ｌ’を示した図である。ここで、Ｒ’Ｇ’Ｂ’パッチは、画像出力装置としてキヤノン製ｉＰＦ５１００を用いてキヤノン製「プレミアム光沢紙」に印刷したものである。
【００４４】
図９〜図１０は一般的な環境における種々条件とこれらに対応する測色値を示した図である。図９（ａ）は一般的な室内環境（オフィス環境）である直接照明と白い壁の部屋を模式的に描いた図であり、図１０（ａ）はその条件における測色によるＬ＊を示した図である。図９（ｂ）は直接照明と黒い壁の部屋を模式的に描いた図であり、図１０（ｂ）はその条件におけるＬ＊を示した図である。さらに、図９（ｃ）と図１０（ｃ）はそれぞれ、間接照明に白い壁の部屋の様子を描いた模式図と測色値であり、対向する壁は明るくなっている。またさらに、図９（ｄ）と図１０（ｄ）はそれぞれ、間接照明に白い壁の部屋の様子を描いた図と測色値であり、対向する壁は暗くなっている。ここで、一般的な環境における測色値は図７に示したように、分光放射計から求めた。なお、図９において、９１は照明、９３は観察者、９４は観察画像である。
【００４５】
この結果から分かるように、図８に示した測色器によって測定される明度と実際の環境における明度の間には大きな隔たりがある。これは一般的な環境においては前述したように壁からの光の影響が大きいためである。特に、図９（ａ）や図９（ｃ）に示すように、周辺が明るくなる環境では、測色器と実際の見え方の間に大きな隔たりがある。
【００４６】
本発明は以上のような点を鑑みてなされたものであり、壁の色・明るさ・画像からの距離等の情報を元に、プロファイルを変更することを特徴としている。
【００４７】
［プロファイルの作成手順］
本発明の実施例に従うプロファイルの作成は、実際の環境において行った測色を元に作成される。例えば、図９（ａ）〜図９（ｄ）に示すような種々の環境において、分光放射計を用いて色票を測色する。
【００４８】
次に、この実施例に従うプロファイル作成手順についてフローチャートを参照して説明する。図１１はプロファイル作成手順の一例を示すフローチャートである。
【００４９】
まず、ステップＳ１１０では、図２で示した色票を表現する画像データである入力データ２１を色票データとして設定し、入力変換部２２、カラーマッピング部２３、出力プロファイル変換部２４をスルーして色票データを出力する。次に、ステップＳ１２０では図９（ａ）〜図９（ｄ）に示すような種々の環境条件を設定し、さらに、ステップＳ１３０では、光源条件を設定する。ここでいう、光源条件とは、色温度、光源の種類をさす。続いて、ステップＳ１４０では、分光放射計を用いて分光反射率を測定する。
【００５０】
ステップＳ１５０では、分光反射率より求めたＬ’ａ’ｂ’成分データとＲ’Ｇ’Ｂ’成分データとの対応を３ＤＬＵＴとし、測定環境との対応付けを行う。そして、ステップＳ１６０において、図２に示した出力プロファイル保持部３０に３ＤＬＵＴ２７を保持する。ステップＳ１６０では、想定される代表的な環境、光源すべての条件で測色を終了したかどうかを判断し、終了していない場合は手順はステップＳ１２０に戻る。
【００５１】
なお、ステップＳ１３０における光源条件に関しては、それぞれの光源条件で環境測定を行わずとも、分光反射率から特定光源下での色度は算出することが可能であるため、省略しても良い。
【００５２】
以上のような方法によりプロファイルを作成する。プロファイルはさまざまな環境に応じて、複数種類のプロファイルを保持する。
【００５３】
［環境の選択方法］
次に、ユーザが実際のプロファイルを選択する方法を記載する。ユーザは通常、画像出力装置で画像の印刷を行う際に、印刷設定を行うことが可能である。図１２は一般的な印刷設定において、色設定を行う画面を示す図である。マッチングモード、マッチング方法等は従来から使用されている設定である。ここで、ユーザが、環境補正モードを選択すると、環境を設定可能な画面１３０１が現れる。ここで、ユーザは光源の種類、色温度のほかに、壁の条件を選択することが可能となる。壁の条件としては色、壁の色、壁に照らされる光の明るさ等を選択することができる。また、前述のように壁の影響は正反射成分が重要であるため、画像に対向する側の壁に関する条件のみを指定しても良い。さらには、環境光の種類（分光分布）、照明条件（スポットライトか、通常光か）、対向する壁に対する照明条件等も設定しても良い。
【００５４】
なお、このような環境に対応したプロファイルは、前述したようなそれぞれの環境条件で測定したプロファイルを用いればよい。なお、類似の環境に関しては、同一のプロファイル作成環境のプロファイルを用いても良い。
【００５５】
従って以上説明した実施例に従えば、観察環境（壁の条件）に応じて適切なプロファイルを選択して画像の記録を行うことが可能となる。
【００５６】
なお、本発明は、複数の機器（例えばホストコンピュータ、インタフェース機器、リーダ、プリンタなど）から構成されるシステムに適用しても、一つの機器からなる装置（例えば、複写機、ファクシミリ装置など）に適用してもよい。また、本発明は、観察環境における壁の条件によってプロファイルを変えることを特徴としているが、プロファイルを変更する箇所は３Ｄ−ＬＵＴだけでなく、例えば、図２に示した出力プロファイルに適用しても良い。この場合、ＣＭＹＫの記録付与量を、環境に応じて変化させることとなる。
【００５７】
さらに、環境ごとのプロファイルは実際の環境において測定を行わなくとも、環境に応じて、例えば、ＣＭＹＫの記録付与量の出力γテーブルを変える等により適正化しても良い。本発明の特徴は照明条件以外の周辺の条件に応じて色変換を補正することにあり、その補正を具体的に実施する方法によって限定されるものではない。
【００５８】
また、本発明は、特に光沢紙において有効となる。前述したように光沢紙においては反射光の角度依存性が大きいためである。そのため、特定の紙種においてのみ、照明条件以外の周辺の条件に対する条件設定を行っても良い。
【図１】
2012044475.tif 000003
【図２】
2012044475.tif 000004
【図３】
2012044475.tif 000005
【図４】
2012044475.tif 000006
【図５】
2012044475.tif 000007
【図６】
2012044475.tif 000008
【図７】
2012044475.tif 000009
【図８】
2012044475.tif 000010
【図９】
2012044475.tif 000011
【図１０】
2012044475.tif 000012
【図１１】
2012044475.tif 000013
【図１２】
2012044475.tif 000014
【図１３】
2012044475.tif 000015